(57)【要約】  処理装置（１０）は、分割手段（１１０）を備える。分割手段（１１０）は、データの内容に基づいてデータを重要度別に複数の部分データに分割する。そして、第１の部分データと、第１の部分データよりも重要度が高い第２の部分データとは、互いに別々に保持される。データはたとえば複数の値で構成されたセンサデータまたはカメラデータである。たとえば第２の部分データは暗号化される。
2019189433.tif 000002
【特許請求の範囲】
【請求項１】
データの内容に基づいて前記データを重要度別に複数の部分データに分割する分割手段を備え、
第１の前記部分データと、前記第１の部分データよりも前記重要度が高い第２の前記部分データとは、互いに別々に保持される処理装置。
【請求項２】
請求項１に記載の処理装置において、
前記第２の部分データは暗号化される処理装置。
【請求項３】
請求項１または２に記載の処理装置において、
前記分割手段は、前記データに含まれる値のうち、前記データを母集団とした偏差が閾値以上である値を、前記第２の部分データに含まれる値とするよう、前記データを分割する処理装置。
【請求項４】
請求項１から３のいずれか一項に記載の処理装置において、
前記第１の部分データと、前記第２の部分データとは、互いにセキュリティレベルが異なる保持方法で保持されることにより、互いに別々に保持される処理装置。
【請求項５】
請求項１から４のいずれか一項に記載の処理装置において、
前記分割手段は、前記データに直交変換を施し、予め定められた基準周波数よりも高い周波数帯域の成分を前記第１の部分データとし、前記基準周波数よりも低い周波数帯域の成分を前記第２の部分データとする処理装置。
【請求項６】
請求項１から４のいずれか一項に記載の処理装置において、
前記分割手段は、前記データに直交変換を施し、予め定められた基準周波数帯域の範囲内の成分を前記第２の部分データとし、前記基準周波数帯域の範囲外の成分を前記第１の部分データとする処理装置。
【請求項７】
請求項１から６のいずれか一項に記載の処理装置において、
前記データを受信する受信手段と、
前記第１の部分データおよび前記第２の部分データの少なくとも一方を保持する記憶手段をさらに備える処理装置。
【請求項８】
請求項７に記載の処理装置において、
前記受信手段は、
第１のデバイスおよび第２のデバイスのそれぞれから送信された前記データを受信し、
前記第１のデバイスからの前記データの受信間隔は前記第２のデバイスからの前記データの受信間隔よりも長く、
前記分割手段は、前記第１のデバイスからの前記データによる前記第２の部分データの前記重要度を、前記第２のデバイスからの前記データによる前記第２の部分データの前記重要度よりも高いと判定する処理装置。
【請求項９】
請求項１から６のいずれか一項に記載の処理装置において、
前記データを生成する生成手段と、
前記第２の部分データを暗号化する暗号化手段と、
暗号化された前記第２の部分データを送信する送信手段とをさらに備える処理装置。
【請求項１０】
請求項１から９のいずれか一項に記載の処理装置において、
前記第１の部分データを保持する第１の記憶手段と、前記第２の部分データを保持する第２の記憶手段とが、互いに離れて配置されている処理装置。
【請求項１１】
デバイスと、処理装置を含み、
前記デバイスは、
データを生成する生成手段と、
前記データを送信する送信手段とを備え、
前記処理装置は、
前記データを受信する受信手段と、
前記データの内容に基づいて、前記データを第１の部分データと、前記第１の部分データよりも重要度が高い第２の部分データに分割する分割手段と、
前記第１の部分データおよび前記第２の部分データの少なくとも一方を保持する記憶手段とを備えるシステム。
【請求項１２】
請求項１１に記載のシステムにおいて、
前記第２の部分データは暗号化されて前記記憶手段に保持されるシステム。
【請求項１３】
請求項１１または１２に記載のシステムにおいて、
前記分割手段は、前記データに含まれる値のうち、前記データを母集団とした偏差が閾値以上である値を、前記第２の部分データに含まれる値とするよう、前記データを分割するシステム。
【請求項１４】
請求項１１から１３のいずれか一項に記載のシステムにおいて、
前記第１の部分データと、前記第２の部分データとは、互いにセキュリティレベルが異なる保持方法で保持されることにより、互いに別々に保持されるシステム。
【請求項１５】
請求項１１から１４のいずれか一項に記載のシステムにおいて、
前記分割手段は、前記データに直交変換を施し、予め定められた基準周波数よりも高い周波数帯域の成分を前記第１の部分データとし、前記基準周波数よりも低い周波数帯域の成分を前記第２の部分データとするシステム。
【請求項１６】
請求項１１から１４のいずれか一項に記載のシステムにおいて、
前記分割手段は、前記データに直交変換を施し、予め定められた基準周波数帯域の範囲内の成分を前記第２の部分データとし、前記基準周波数帯域の範囲外の成分を前記第１の部分データとするシステム。
【請求項１７】
請求項１１から１６のいずれか一項に記載のシステムにおいて、
前記受信手段は、
第１の前記デバイスおよび第２の前記デバイスのそれぞれから送信された前記データを受信し、
前記第１のデバイスからの前記データの受信間隔は前記第２のデバイスからの前記データの受信間隔よりも長く、
前記分割手段は、前記第１のデバイスからの前記データによる前記第２の部分データの前記重要度を、前記第２のデバイスからの前記データによる前記第２の部分データの前記重要度よりも高いと判定するシステム。
【請求項１８】
請求項１１から１７のいずれか一項に記載のシステムにおいて、
前記第１の部分データを保持する第１の記憶手段と、前記第２の部分データを保持する第２の記憶手段とが、互いに離れて配置されているシステム。
【請求項１９】
データの内容に基づいて前記データを重要度別に複数の部分データに分割し、
第１の前記部分データと、前記第１の部分データよりも前記重要度が高い第２の前記部分データとが、互いに別々に保持される処理方法。
【請求項２０】
請求項１９に記載の処理方法において、
前記第２の部分データは暗号化される処理方法。
【請求項２１】
請求項１９または請求項２０に記載の処理方法において、
前記データに含まれる値のうち、前記データを母集団とした偏差が閾値以上である値を、前記第２の部分データに含まれる値とするよう、前記データを分割する処理方法。
【請求項２２】
請求項１９から２１のいずれか一項に記載の処理方法において、
前記第１の部分データと、前記第２の部分データとは、互いにセキュリティレベルが異なる保持方法で保持されることにより、互いに別々に保持される処理方法。
【請求項２３】
請求項１９から２２のいずれか一項に記載の処理方法において、
前記データに直交変換を施し、予め定められた基準周波数よりも高い周波数帯域の成分を前記第１の部分データとし、前記基準周波数よりも低い周波数帯域の成分を前記第２の部分データとするように前記データを分割する処理方法。
【請求項２４】
請求項１９から２２のいずれか一項に記載の処理方法において、
前記データに直交変換を施し、予め定められた基準周波数帯域の範囲内の成分を前記第２の部分データとし、前記基準周波数帯域の範囲外の成分を前記第１の部分データとするように前記データを分割する処理方法。
【請求項２５】
請求項１９から２４のいずれか一項に記載の処理方法において、
前記データを受信し、
前記第１の部分データおよび前記第２の部分データの少なくとも一方を保持する処理方法。
【請求項２６】
請求項２５に記載の処理方法において、
第１のデバイスおよび第２のデバイスのそれぞれから送信された前記データを受信し、
前記第１のデバイスからの前記データの受信間隔は前記第２のデバイスからの前記データの受信間隔よりも長く、
前記第１のデバイスからの前記データによる前記第２の部分データの前記重要度を、前記第２のデバイスからの前記データによる前記第２の部分データの前記重要度よりも高いと判定する処理方法。
【請求項２７】
請求項１９から２４のいずれか一項に記載の処理方法において、
前記データを生成し、
前記第２の部分データを暗号化し、
暗号化された前記第２の部分データを送信する処理方法。
【請求項２８】
請求項１９から２７のいずれか一項に記載の処理方法において、
前記第１の部分データを第１の記憶手段に保持させ、前記第２の部分データを第２の記憶手段に保持させ、
前記第１の記憶手段と前記第２の記憶手段とが互いに離れて配置されている処理方法。
【請求項２９】
処理装置を実現するためのコンピュータプログラムであって、
コンピュータを、
データの内容に基づいて前記データを重要度別に複数の部分データに分割する分割手段として機能させ、
第１の前記部分データと、前記第１の部分データよりも前記重要度が高い第２の前記部分データとは、互いに別々に保持されるコンピュータプログラム。
【請求項３０】
請求項２９に記載のコンピュータプログラムにおいて、
前記第２の部分データは暗号化されるコンピュータプログラム。
【請求項３１】
請求項２９または３０に記載のコンピュータプログラムにおいて、
前記分割手段は、前記データに含まれる値のうち、前記データを母集団とした偏差が閾値以上である値を、前記第２の部分データに含まれる値とするよう、前記データを分割するコンピュータプログラム。
【請求項３２】
請求項２９から３１のいずれか一項に記載のコンピュータプログラムにおいて、
前記第１の部分データと、前記第２の部分データとは、互いにセキュリティレベルが異なる保持方法で保持されることにより、互いに別々に保持されるコンピュータプログラム。
【請求項３３】
請求項２９から３２のいずれか一項に記載のコンピュータプログラムにおいて、
前記分割手段は、前記データに直交変換を施し、予め定められた基準周波数よりも高い周波数帯域の成分を前記第１の部分データとし、前記基準周波数よりも低い周波数帯域の成分を前記第２の部分データとするコンピュータプログラム。
【請求項３４】
請求項２９から３２のいずれか一項に記載のコンピュータプログラムにおいて、
前記分割手段は、前記データに直交変換を施し、予め定められた基準周波数帯域の範囲内の成分を前記第２の部分データとし、前記基準周波数帯域の範囲外の成分を前記第１の部分データとするコンピュータプログラム。
【請求項３５】
請求項２９から３４のいずれか一項に記載のコンピュータプログラムにおいて、
前記コンピュータを、
前記データを受信する受信手段、および
前記第１の部分データおよび前記第２の部分データの少なくとも一方を保持する記憶手段としてさらに機能させるコンピュータプログラム。
【請求項３６】
請求項３５に記載のコンピュータプログラムにおいて、
前記受信手段は、
第１のデバイスおよび第２のデバイスのそれぞれから送信された前記データを受信し、
前記第１のデバイスからの前記データの受信間隔は前記第２のデバイスからの前記データの受信間隔よりも長く、
前記分割手段は、前記第１のデバイスからの前記データによる前記第２の部分データの前記重要度を、前記第２のデバイスからの前記データによる前記第２の部分データの前記重要度よりも高いと判定するコンピュータプログラム。
【請求項３７】
請求項２９から３４のいずれか一項に記載のコンピュータプログラムにおいて、
前記コンピュータを、
前記データを生成する生成手段、
前記第２の部分データを暗号化する暗号化手段、および
暗号化された前記第２の部分データを送信する送信手段としてさらに機能させるコンピュータプログラム。
【請求項３８】
請求項２９から３７のいずれか一項に記載のコンピュータプログラムにおいて、
前記第１の部分データを保持する第１の記憶手段と、前記第２の部分データを保持する第２の記憶手段とが、互いに離れて配置されているコンピュータプログラム。
【発明の詳細な説明】
【技術分野】
【０００１】
本発明は処理装置、システム、処理方法、およびコンピュータプログラムに関する。
【背景技術】
【０００２】
ＩｏＴサービス等では、膨大なデータを収集して扱う場合がある。データは重要な情報を含むことがあり、秘匿性が求められる。一方、暗号化やデータ保管の拠点分散等、高いレベルのセキュリティを全てのデータに対して適用することは、特にデータ量が膨大になる場合に運用コストの増加を引き起こす。【０００３】
特許文献１の暗号化処理装置では、データの形態又は具備する項目等に基づいて、データに対して暗号化が必要か否か判断される。データの具備する項目は、たとえばデータの重要度に関する指標である。【０００４】
特許文献２の暗号化装置では、暗号強度が対象データの重要度に応じた強度となるように、暗号化パラメータが設定される。
【先行技術文献】
【特許文献】
【０００５】
【特許文献１】特開２００２−３６６４３７号公報
【特許文献２】特開２００７−３６４４８号公報
【発明の概要】
【発明が解決しようとする課題】
【０００６】
特許文献１および２の技術では、ユーザの入力なしにはデータの重要度を判定できないため、人的コストがかかるという問題点があった。特許文献１の暗号化処理装置では、ユーザがデータ毎に暗号化に関する条件の入力を行う必要がある。また、特許文献２の暗号化装置では、ユーザが処理対象データの重要度を設定する必要がある。【０００７】
本発明は、上記の課題に鑑みてなされたものである。本発明の目的は、コストを抑えつつデータの保護が可能な技術を提供することにある。
【課題を解決するための手段】
【０００８】
本発明の処理装置は、
データの内容に基づいて前記データを重要度別に複数の部分データに分割する分割手段を備え、
第１の前記部分データと、前記第１の部分データよりも前記重要度が高い第２の前記部分データとは、互いに別々に保持される。【０００９】
本発明のシステムは、
デバイスと、処理装置を含み、
前記デバイスは、
データを生成する生成手段と、
前記データを送信する送信手段とを備え、
前記処理装置は、
前記データを受信する受信手段と、
前記データの内容に基づいて、前記データを第１の部分データと、前記第１の部分データよりも重要度が高い第２の部分データに分割する分割手段と、
前記第１の部分データおよび前記第２の部分データの少なくとも一方を保持する記憶手段とを備える。【００１０】
本発明の処理方法は、
データの内容に基づいて前記データを重要度別に複数の部分データに分割し、
第１の前記部分データと、前記第１の部分データよりも前記重要度が高い第２の前記部分データとを、互いに別々に保持される。【００１１】
本発明のコンピュータプログラムは、
処理装置を実現するためのコンピュータプログラムであって、
コンピュータを、
データの内容に基づいて前記データを重要度別に複数の部分データに分割する分割手段として機能させ、
第１の前記部分データと、前記第１の部分データよりも前記重要度が高い第２の前記部分データとは、互いに別々に保持される。
【発明の効果】
【００１２】
本発明によれば、コストを抑えつつデータの保護が可能な技術を提供できる。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】第１の実施形態に係る処理装置の機能構成を例示するブロック図である。
【図２】第１の部分データと第２の部分データの保持方法の第２例における処理装置等の機能構成を例示するブロック図である。
【図３】処理装置を実現するための計算機を例示する図である。
【図４】第１の実施形態に係る処理方法を例示するフローチャートである。
【図５】第３の実施形態に係るシステムの構成を例示するブロック図である。
【図６】第３の実施形態に係るデバイスの機能構成を例示するブロック図である。
【図７】第４の実施形態に係るシステムの構成を例示するブロック図である。
【図８】第４の実施形態に係る処理装置の機能構成を例示するブロック図である。
【図９】第４の実施形態に係るサーバの機能構成を例示するブロック図である。
【発明を実施するための形態】
【００１５】
以下、本発明の実施の形態について、図面を用いて説明する。尚、すべての図面において、同様な構成要素には同様の符号を付し、適宜説明を省略する。また、特に説明する場合を除き、各ブロック図において、各ブロックは、ハードウエア単位の構成ではなく、機能単位の構成を表している。
【００１６】
（第１の実施形態）
図１は、第１の実施形態に係る処理装置１０の機能構成を例示するブロック図である。処理装置１０は、分割手段１１０を備える。分割手段１１０は、データの内容に基づいてデータを重要度別に複数の部分データに分割する。そして、第１の部分データと、第１の部分データよりも重要度が高い第２の部分データとは、互いに別々に保持される。以下に詳しく説明する。
【００１７】
第１の部分データと第２の部分データとが互いに別々に保持されるとは、たとえば互いにセキュリティレベルが異なる保持方法で保持されることである。本実施形態に係る処理装置１０では、重要度に基づいてデータが複数の部分データに分割される。そして、各部分データは、重要度に応じたセキュリティの高さで保持される。ここで、保持された部分データを取得する処理コストは、セキュリティレベルが高い程高くなる。したがって、本実施形態に係る処理装置１０によれば、全てのデータを高いセキュリティレベルで保持する場合に比べて運用コストを抑えることができる。
【００１８】
また、本実施形態によれば、データ自体の内容に基づいてデータが部分データに分割される。したがって、データ毎にユーザによる判断を介在させる必要が無く、データ保護に対する人的コストを抑えることができる。
【００１９】
本実施形態に係る処理装置１０は、データを受信する受信手段１００をさらに備える。受信手段１００は外部から有線または無線でデータを受信し、取得する。分割手段１１０は受信手段１００が受信したデータを分割する。また、本実施形態に係る処理装置１０は記憶手段１３０をさらに備える。記憶手段１３０は、第１の部分データおよび第２の部分データの少なくとも一方を保持する。処理装置１０は、受信手段１００で受信したデータを、コストを抑えつつ適切なセキュリティで保護できる。
【００２０】
本実施形態において、データは複数の値で構成されている。データはたとえばセンサデータまたはカメラデータである。センサデータはセンサでの測定値を複数含んでいる。各測定値には測定された時刻を示す情報が紐づけられていても良い。また、カメラデータはカメラで撮像された二次元データであり、ＸＹ座標と、各座標における値を含んでいる。なお、カメラデータはグレー画像でも良いしカラー画像でも良い。各数値には座標を示す情報が紐づけられていても良い。以下において、データに含まれる値とは、たとえばセンサデータの測定値やカメラデータの各座標における値である。
【００２１】
なお、受信手段１００が１度に受信したデータのデータ量が予め定めたデータ量より少ない場合、受信手段１００は複数回の受信にわたってデータを蓄積してもよい。分割手段１１０は受信手段１００で蓄積されたデータのデータ量の合計が予め定めたデータ量以上になったときに分割の処理を行う。
【００２２】
上述した通り、分割手段１１０は、データの内容に基づいてデータを重要度別に複数の部分データに分割する。本実施形態において、データの内容とは、データに含まれる値である。また、複数の部分データには、それぞれ一以上の値が含まれる。
【００２３】
本実施形態に係る分割手段１１０は、データに含まれる値のうち、データを母集団とした偏差が閾値以上である値を、第２の部分データに含まれる値とするよう、データを分割する。たとえばセンサデータにおいて、データに含まれる個々の値の持つ重要性にはばらつきがある。具体的には、平常時の値に比べて、統計値に及ぼす影響が大きいような特異点に相当する値の重要性が高いとみなせる。たとえば、そのような特異点を検知して何らかのアクションを起こすようなアプリケーションも考えられる。データに含まれる値のうち、データを母集団とした偏差が閾値以上である値を、第２の部分データに含まれる値とするよう、データを分割することにより、平均や分散等の統計値に及ぼす影響が大きい値を抽出した第２の部分データが得られる。
【００２４】
分割手段１１０はデータを分割して複数の部分データを生成する。複数の部分データには第１の部分データと第２の部分データが含まれる。第２の部分データの重要度は第１の部分データの重要度よりも高い。分割手段１１０がデータを分割する方法については詳しく後述する。
【００２５】
分割に用いる閾値は、たとえば第２の部分データの量や、第２の部分データを保持するセキュリティレベルの高さに応じて予め定めることができる。たとえば、閾値を高く設定する程、第２の部分データのデータ量はより小さくなり、第２の部分データの重要度はより高くなる。したがって、より小さなデータ量の第２の部分データを高いセキュリティレベルで保持しようとする場合には、閾値を高く設定すればよい。閾値を調整することで、運用コストと全体のセキュリティレベルとのバランスを柔軟に設定することができる。閾値は、データごとや分割ごとに設定する必要はない。
【００２６】
上記した通り、生成された第１の部分データと第２の部分データは、互いに別々に保持される。そして第２の部分データは第１の部分データよりも高いセキュリティレベルで保持される。ここで、別々に保持されるとは、別々のデータとして保持されることであり、たとえば、異なる暗号化状態で保持されること、および物理的に異なる記憶手段に保持されることの少なくともいずれかである。また、セキュリティレベルが高いとは、たとえば、暗号化された部分データの復号に必要な暗号キーの情報量が多いこと、部分データを得るまでに要する処理の段階が多いこと、部分データが保持された記憶部へのアクセスの困難性が高いこと等が挙げられる。
【００２７】
より具体的に、第１の部分データと第２の部分データの保持方法の第１例を以下に説明する。本例では、少なくとも第２の部分データが暗号化される。一方、第１の部分データは暗号化されない、または、第２の部分データよりも復号が容易となるように暗号化される。
【００２８】
図２は、第１の部分データと第２の部分データの保持方法の第２例における処理装置１０等の機能構成を例示するブロック図である。本例では、第１の部分データを保持する第１の記憶手段１３１と、第２の部分データを保持する第２の記憶手段１３２とが、互いに離れて配置されている。
【００２９】
本図の例において、第１の記憶手段１３１は処理装置１０に備えられており、第２の記憶手段１３２は処理装置１０の外部に設けられている。ただし、第１の記憶手段と第２の記憶手段はいずれも処理装置１０に備えられていても良いし、いずれも処理装置１０の外部に設けられていても良い。第１の記憶手段１３１と第２の記憶手段１３２とは物理的に異なる記憶デバイスである。そして、第２の記憶手段１３２は第１の記憶手段１３１よりも高いセキュリティレベルで情報を保持する。たとえば第２の記憶手段１３２には情報の読み出しに際し、認証が必要である。なお、第２の記憶手段１３２が複数準備され、第２の部分データをさらに複数の部分データに分けて保持させたり、定期的に第２の部分データを移動させたりしてもよい。
【００３０】
複数の部分データを分散させたり、一部の部分データを移動させたりすることで、物理的な手段によるデータの盗難や、設備の故障によるデータ損失のリスクを軽減することができる。また、記憶手段を分散配置するためにデータの格納拠点が増えることによる運用コストの増加や、データを読み出す際の処理速度の低下が問題と成り得るが、重要度の高い部分データのみを分散配置することで、これらの問題の影響を低減することができる。
【００３１】
図３は、処理装置１０を実現するための計算機１０００を例示する図である。計算機１０００は任意の計算機である。例えば計算機１０００は、Personal Computer（PC）、サーバマシン、タブレット端末、又はスマートフォンなどである。計算機１０００は、処理装置１０を実現するために設計された専用の計算機であってもよいし、汎用の計算機であってもよい。また、計算機１０００はSoC（System On Chip）であってもよい。
【００３２】
計算機１０００は、バス１０２０、プロセッサ１０４０、メモリ１０６０、ストレージデバイス１０８０、入出力インタフェース１１００、及びネットワークインタフェース１１２０を有する。バス１０２０は、プロセッサ１０４０、メモリ１０６０、ストレージデバイス１０８０、入出力インタフェース１１００、及びネットワークインタフェース１１２０が、相互にデータを送受信するためのデータ伝送路である。ただし、プロセッサ１０４０などを互いに接続する方法は、バス接続に限定されない。プロセッサ１０４０は、CPU（Central Processing Unit）、GPU（Graphics Processing Unit）、又は FPGA（Field-Programmable Gate Array）などの種々のプロセッサである。メモリ１０６０は、RAM（Random Access Memory）などを用いて実現される主記憶装置である。ストレージデバイス１０８０は、ハードディスク、SSD（Solid State Drive）、メモリカード、又は ROM（Read Only Memory）などを用いて実現される補助記憶装置である。
【００３３】
入出力インタフェース１１００は、計算機１０００と入出力デバイスとを接続するためのインタフェースである。例えば入出力インタフェース１１００には、キーボードなどの入力装置や、ディスプレイ装置などの出力装置が接続される。
【００３４】
ネットワークインタフェース１１２０は、計算機１０００をネットワークに接続するためのインタフェースである。この通信網は、例えば LAN（Local Area Network）や WAN（Wide Area Network）である。ネットワークインタフェース１１２０がネットワークに接続する方法は、無線接続であってもよいし、有線接続であってもよい。
【００３５】
ストレージデバイス１０８０は、処理装置１０の各機能構成部を実現するプログラムモジュールを記憶している。プロセッサ１０４０は、これら各プログラムモジュールをメモリ１０６０に読み出して実行することで、各プログラムモジュールに対応する機能を実現する。
【００３６】
図４は、本実施形態に係る処理方法を例示するフローチャートである。本実施形態に係る処理方法では、データの内容に基づいてデータが重要度別に複数の部分データに分割され（分割ステップＳ１０）、第１の部分データと、第１の部分データよりも重要度が高い第２の部分データとが、互いに別々に保持される。
【００３７】
本実施形態に係る処理方法は上述したような処理装置１０により実現される。
【００３８】
分割ステップＳ１０において分割手段１１０がデータを分割する方法を以下に詳しく説明する。ただし、分割手段１１０がデータを分割する方法は、以下に限定されない。分割手段１１０は、たとえば外れ値検出を用いてデータに含まれる値の重要度を判定することができる。
【００３９】
分割ステップＳ１０において、分割手段１１０は、データに含まれる各値の偏差を算出する。そして、算出した偏差が閾値以上である値を、抽出し、抽出した値の集合を第２の部分データとする。一方、抽出されなかった値の集合を、第１の部分データとする。
【００４０】
また、分割手段１１０は、データを分割して得られた第１の部分データおよび第２の部分データの少なくとも一方を対象に、再度分割ステップＳ１０を行っても良い。ここで、初期のデータを分割する際とは異なる閾値を用いる。そうすることにより、データを三段階以上の重要度別の部分データに分割することができる。各部分データには、重要度を示す情報を紐づけても良い。重要度を示す情報はたとえば重要度のレベルを示す数値である。各部分データはたとえば、重要度を示す情報に基づいて、保管先が振り分けられる。
【００４１】
本実施形態において、分割ステップＳ１０で生成された複数の部分データは、それぞれ重要度に応じたセキュリティレベルで保持される。
【００４２】
次に、本実施形態の作用および効果について説明する。本実施形態に係る処理装置１０によれば、重要度に基づいてデータが複数の部分データに分割され、各部分データは、重要度に応じたセキュリティの高さで保持される。したがって、全てのデータを高いセキュリティレベルで保持する場合に比べてコストを抑えつつ、データを保護することができる。
【００４３】
（第２の実施形態）
第２の実施形態に係る処理装置１０は、分割手段１１０がデータを分割する方法を除いて第１の実施形態に係る処理装置１０と同じである。
【００４４】
本実施形態に係る分割手段１１０は、データに直交変換を施し、予め定められた基準周波数よりも高い周波数帯域の成分を第１の部分データとし、基準周波数よりも低い周波数帯域の成分を第２の部分データとする。以下に詳しく説明する。
【００４５】
センサデータやカメラデータでは、ノイズ等の高周波成分よりも低周波成分の方が、その成分が含む情報の重要性が高いとみなせる。したがってデータに直交変換演算を施して周波数軸上に置き換え、高周波成分と低周波成分に分割することで、重要度が異なる第１の部分データと第２の部分データが得られる。
【００４６】
本実施形態において分割手段１１０は受信手段１００で受信されたデータを直交変換する。直交変換はたとえばＤＣＴ（discrete cosine transform）である。直交変換によりデータに含まれる複数の値は、複数の周波数成分に置き換えられる。そして、分割手段１１０は、基準周波数よりも高い周波数帯域の成分を第１の部分データとし、基準周波数よりも低い周波数帯域の成分を第２の部分データとする。
【００４７】
基準周波数はたとえば第２の部分データの量や、第２の部分データを保持するセキュリティレベルの高さに応じて予め定めることができる。たとえば、基準周波数を低く設定する程、第２の部分データのデータ量はより小さくなり、第２の部分データの重要度はより高くなる。したがって、より小さなデータ量の第２の部分データを高いセキュリティレベルで保持しようとする場合には、基準周波数を低く設定すればよい。基準周波数を調整することで、運用コストと全体のセキュリティレベルとのバランスを柔軟に設定することができる。
【００４８】
なお、分割手段１１０は、データに直交変換を施し、予め定められた基準周波数帯域の範囲内の成分を第２の部分データとし、基準周波数帯域の範囲外の成分を第１の部分データとしてもよい。たとえばデータの使用目的に応じて、重要な情報が含まれる周波数帯域が予め予想される場合、その周波数帯域を含む基準周波数帯域を定める。そうすることにより、目的に応じた重要度を反映させてデータの分割を行うことができる。
【００４９】
次に、本実施形態の作用および効果について説明する。本実施形態においては第１の実施形態と同様の作用および効果が得られる。加えて、高度な計算処理を行うことなくデータを分割できる。
【００５０】
（第３の実施形態）
図５は、第３の実施形態に係るシステム５０の構成を例示するブロック図であり、図６は、第３の実施形態に係るデバイス３０の機能構成を例示するブロック図である。本実施形態に係る処理装置１０は、システム５０を構成する。本実施形態に係る処理装置１０は、第１の実施形態および第２の実施形態の少なくともいずれかと同様の構成を有する。
【００５１】
システム５０は、デバイス３０と、処理装置１０を含む。デバイス３０は、データを生成する生成手段３００と、データを送信する送信手段３２０とを備える。処理装置１０は、受信手段１００、分割手段１１０、および記憶手段１３０を備える。受信手段１００はデータを受信する。分割手段１１０は、データの内容に基づいて、データを第１の部分データと、第１の部分データよりも重要度が高い第２の部分データに分割する。記憶手段１３０は、第１の部分データおよび第２の部分データの少なくとも一方を保持する。以下に詳しく説明する。
【００５２】
本図の例においてシステム５０は複数のデバイス３０を含み、処理装置１０は複数のデバイス３０のそれぞれからデータを取得する。なお、複数のデバイス３０は、互いに異なる種類のデバイス３０を含んでも良い。本実施形態に係るシステム５０は、特に限定されないが、たとえばＩｏＴ（Internet of Things）サービスを提供するシステムである。処理装置１０は、システム５０において、サーバとして機能する。そしてデバイス３０はたとえばＩｏＴデバイスである。デバイス３０はたとえば車両、電化製品、その他何らかの物に搭載されている。また、デバイス３０は、タブレット端末、又はスマートフォン等の端末であっても良い。本実施形態に係る処理装置１０は、保持された複数の部分データの少なくとも一部を読み出し、必要に応じて復号等を行って、サービス提供のために用いたり、外部に送信したりすることができる。
【００５３】
ＩｏＴサービスでは、データの発生源であるデバイス３０の数や、処理装置１０が取得するデータ量が膨大になることが多く、データ量あたりに費やすことができるコストが小さくなる傾向がある。これに対し、本実施形態に係る処理装置１０では、データを複数の部分データに分割し、重要度に応じたセキュリティレベルで保持することにより、コストを抑えつつデータを保護することができる。
【００５４】
デバイス３０にはたとえばセンサまたはカメラ等の計測手段３１０がさらに備えられている。デバイス３０の生成手段３００は、計測手段３１０の出力信号を用いてデータを生成する。送信手段３２０は、生成手段３００で生成されたデータを送信する。送信手段３２０からのデータの送信は、たとえば予め定められた時間毎に繰り返し行われる。
【００５５】
処理装置１０の受信手段１００はデバイス３０から送信されたデータを、通信網５００を介して受信する。受信手段１００で受信されたデータは第１の実施形態または第２の実施形態で説明した方法で処理される。
【００５６】
なお、分割手段１１０は、データの受信間隔に応じてデータの重要度を判定しても良い。すなわち、処理装置１０は以下のような構成を有していても良い。すなわち、受信手段１００は、第１のデバイス３０および第２のデバイス３０のそれぞれから送信されたデータを受信する。ここで、第１のデバイス３０からのデータの受信間隔は第２のデバイス３０からのデータの受信間隔よりも長いとする。そして、分割手段１１０は、第１のデバイス３０からのデータによる第２の部分データの重要度を、第２のデバイス３０からのデータによる第２の部分データの重要度よりも高いと判定する。
【００５７】
具体的には、分割手段１１０はたとえば以下の様に処理できる。分割手段１１０が各部分データに重要度のレベルを示す数値を紐づける場合、重要度のレベルを示す数値にデバイス３０毎に定めた係数を乗じて、重要度のレベルを補正する。そして、補正後のレベルに応じたセキュリティレベルで各部分データが保持される。係数は、各デバイス３０からのデータの受信間隔に応じて事前に処理装置１０で定められる。
【００５８】
データの送信間隔が短いデバイス３０に比べて、データの送信間隔が長いデバイス３０は、送信するデータの総量が少なく、各データの価値が高いと見なせる。したがって、分割手段１１０が、データの受信間隔に応じて重要度を判定することによって、より高精度に判定が行える。
【００５９】
次に、本実施形態の作用および効果について説明する。本実施形態においては第１の実施形態と同様の作用および効果が得られる。
【００６０】
（第４の実施形態）
図７は、第４の実施形態に係るシステム５０の構成を例示するブロック図であり、図８は、第４の実施形態に係る処理装置１０の機能構成を例示するブロック図であり、図９は、第４の実施形態に係るサーバ２０の機能構成を例示するブロック図である。本実施形態に係る処理装置１０は、以下に説明する点を除いて第１の実施形態および第２の実施形態の少なくともいずれかに係る処理装置１０と同じである。また、本実施形態に係るシステム５０は、以下に説明する点を除いて第３の実施形態に係るシステム５０と同じである。
【００６１】
本実施形態に係るシステム５０は、サーバ２０と複数の処理装置１０を備える。本実施形態において、処理装置１０はたとえばデバイスを構成している。デバイスはたとえばＩｏＴデバイスである。デバイスはたとえば車両、電化製品、その他何らかの物に搭載されている。また、デバイスは、タブレット端末、又はスマートフォン等の端末であっても良い。サーバ２０は複数の処理装置１０のそれぞれからデータを取得する。本実施形態に係るシステム５０は、特に限定されないが、たとえばＩｏＴサービスを提供するシステムである。本実施形態に係るサーバ２０は、保持された一以上の部分データの少なくとも一部を読み出し、必要に応じて復号等を行って、サービス提供のために用いたり、外部に送信したりすることができる。
【００６２】
本実施形態に係る処理装置１０は、生成手段３００、分割手段１１０、暗号化手段３１５、および送信手段３２０を備える。生成手段３００は、データを生成する。暗号化手段３１５は、第２の部分データを暗号化する。送信手段３２０は、暗号化された第２の部分データを送信する。
【００６３】
本実施形態に係る処理装置１０は計測手段３１０をさらに備える。生成手段３００は、第４の実施形態で説明したのと同様にしてデータを生成する。そして、分割手段１１０は、生成手段３００で生成されたデータに対し、第１の実施形態および第２の実施形態の少なくとも一方と同じ処理を行い、データを第１の部分データおよび第２の部分データを含む複数の部分データに分割する。また、分割手段１１０は各部分データに、その部分データの重要度を示す情報を紐づけてもよい。
【００６４】
暗号化手段３１５は、一以上の部分データを、各部分データの重要度に応じて暗号化する。すなわち暗号化手段３１５は、生成された複数の部分データのうち、少なくとも第２の部分データを暗号化する。また、暗号化手段３１５は第１の部分データも暗号化しても良い。そして、暗号化手段３１５は第２の部分データよりも重要度の高い部分データが生成された場合には、その部分データも暗号化する。暗号化手段３１５は、複数の部分データを暗号化する場合、暗号化手段３１５は、各部分データに紐づけられた重要度を示す情報に基づいて暗号化の際のセキュリティレベルを決定する。具体的には暗号化手段３１５は、重要度が高い部分データ程、暗号化のセキュリティレベルを高くする。
【００６５】
送信手段３２０は、暗号化手段３１５で暗号化された部分データを送信する。また、送信手段３２０は、暗号化手段３１５で暗号化されなかった部分データをそのまま送信する。
【００６６】
サーバ２０は、受信手段２００および記憶手段２３０を備える。受信手段２００は、送信手段３２０から送信された第２の部分データを受信する。そして記憶手段２３０は、受信手段２００が受信した第２の部分データを保持する。なお、受信手段２００は第２の部分データに加えて他の部分データをさらに受信しても良い。また、記憶手段２３０は、受信手段２００が受信した他の部分データをさらに保持しても良い。
【００６７】
なお、サーバ２０は複数の記憶手段を備えてもよい。この場合、受信手段１００が受信した複数の部分データは、重要度別に互いに異なる記憶手段に保持される。
【００６８】
本実施形態によれば、各部分データがその重要度に応じて暗号化された上で、処理装置１０からサーバ２０へ送信される。したがって、通信におけるセキュリティに優れる。
【００６９】
特に、分割手段１１０が第２の実施形態の方法で分割を行う場合、分割に高い計算処理能力が必要とされないため、処理装置１０が計算処理能力の低いデバイスであっても処理負荷が問題にならない。
【００７０】
なお、送信手段３２０から送信される複数の部分データの送信先は互いに異なっても良い。たとえば、送信された複数の部分データは、互いに異なるセキュリティレベルを有する記憶手段に保持されるよう、各部分データの重要度に基づいて送信先が決定されてもよい。
【００７１】
次に、本実施形態の作用および効果について説明する。本実施形態においては第１の実施形態と同様の作用および効果が得られる。加えて、各部分データがその重要度に応じて暗号化された上で、処理装置１０からサーバ２０へ送信されるため、通信におけるセキュリティに優れる。
【００７２】
以上、図面を参照して本発明の実施形態について述べたが、これらは本発明の例示であり、上記以外の様々な構成を採用することもできる。たとえば、上述の説明で用いたシーケンス図やフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【００７３】
上記の実施形態の一部又は全部は、以下の付記のようにも記載されうるが、以下には限られない。
１−１．  データの内容に基づいて前記データを重要度別に複数の部分データに分割する分割手段を備え、
第１の前記部分データと、前記第１の部分データよりも前記重要度が高い第２の前記部分データとは、互いに別々に保持される処理装置。
１−２．  １−１．に記載の処理装置において、
前記第２の部分データは暗号化される処理装置。
１−３．  １−１．または１−２．に記載の処理装置において、
前記分割手段は、前記データに含まれる値のうち、前記データを母集団とした偏差が閾値以上である値を、前記第２の部分データに含まれる値とするよう、前記データを分割する処理装置。
１−４．  １−１．から１−３．のいずれか一つに記載の処理装置において、
前記第１の部分データと、前記第２の部分データとは、互いにセキュリティレベルが異なる保持方法で保持されることにより、互いに別々に保持される処理装置。
１−５．  １−１．から１−４．のいずれか一つに記載の処理装置において、
前記分割手段は、前記データに直交変換を施し、予め定められた基準周波数よりも高い周波数帯域の成分を前記第１の部分データとし、前記基準周波数よりも低い周波数帯域の成分を前記第２の部分データとする処理装置。
１−６．  １−１．から１−４．のいずれか一つに記載の処理装置において、
前記分割手段は、前記データに直交変換を施し、予め定められた基準周波数帯域の範囲内の成分を前記第２の部分データとし、前記基準周波数帯域の範囲外の成分を前記第１の部分データとする処理装置。
１−７．  １−１．から１−６．のいずれか一つに記載の処理装置において、
前記データを受信する受信手段と、
前記第１の部分データおよび前記第２の部分データの少なくとも一方を保持する記憶手段をさらに備える処理装置。
１−８．  １−７．に記載の処理装置において、
前記受信手段は、
第１のデバイスおよび第２のデバイスのそれぞれから送信された前記データを受信し、
前記第１のデバイスからの前記データの受信間隔は前記第２のデバイスからの前記データの受信間隔よりも長く、
前記分割手段は、前記第１のデバイスからの前記データによる前記第２の部分データの前記重要度を、前記第２のデバイスからの前記データによる前記第２の部分データの前記重要度よりも高いと判定する処理装置。
１−９．  １−１．から１−６．のいずれか一つに記載の処理装置において、
前記データを生成する生成手段と、
前記第２の部分データを暗号化する暗号化手段と、
暗号化された前記第２の部分データを送信する送信手段とをさらに備える処理装置。
１−１０．  １−１．から１−９．のいずれか一つに記載の処理装置において、
前記第１の部分データを保持する第１の記憶手段と、前記第２の部分データを保持する第２の記憶手段とが、互いに離れて配置されている処理装置。
２−１．  デバイスと、処理装置を含み、
前記デバイスは、
データを生成する生成手段と、
前記データを送信する送信手段とを備え、
前記処理装置は、
前記データを受信する受信手段と、
前記データの内容に基づいて、前記データを第１の部分データと、前記第１の部分データよりも重要度が高い第２の部分データに分割する分割手段と、
前記第１の部分データおよび前記第２の部分データの少なくとも一方を保持する記憶手段とを備えるシステム。
２−２．  ２−１．に記載のシステムにおいて、
前記第２の部分データは暗号化されて前記記憶手段に保持されるシステム。
２−３．  ２−１．または２−２．に記載のシステムにおいて、
前記分割手段は、前記データに含まれる値のうち、前記データを母集団とした偏差が閾値以上である値を、前記第２の部分データに含まれる値とするよう、前記データを分割するシステム。
２−４．  ２−１．から２−３．のいずれか一つに記載のシステムにおいて、
前記第１の部分データと、前記第２の部分データとは、互いにセキュリティレベルが異なる保持方法で保持されることにより、互いに別々に保持されるシステム。
２−５．  ２−１．から２−４．のいずれか一つに記載のシステムにおいて、
前記分割手段は、前記データに直交変換を施し、予め定められた基準周波数よりも高い周波数帯域の成分を前記第１の部分データとし、前記基準周波数よりも低い周波数帯域の成分を前記第２の部分データとするシステム。
２−６．  ２−１．から２−４．のいずれか一つに記載のシステムにおいて、
前記分割手段は、前記データに直交変換を施し、予め定められた基準周波数帯域の範囲内の成分を前記第２の部分データとし、前記基準周波数帯域の範囲外の成分を前記第１の部分データとするシステム。
２−７．  ２−１．から２−６．のいずれか一つに記載のシステムにおいて、
前記受信手段は、
第１の前記デバイスおよび第２の前記デバイスのそれぞれから送信された前記データを受信し、
前記第１のデバイスからの前記データの受信間隔は前記第２のデバイスからの前記データの受信間隔よりも長く、
前記分割手段は、前記第１のデバイスからの前記データによる前記第２の部分データの前記重要度を、前記第２のデバイスからの前記データによる前記第２の部分データの前記重要度よりも高いと判定するシステム。
２−８．  ２−１．から２−７．のいずれか一つに記載のシステムにおいて、
前記第１の部分データを保持する第１の記憶手段と、前記第２の部分データを保持する第２の記憶手段とが、互いに離れて配置されているシステム。
３−１．  データの内容に基づいて前記データを重要度別に複数の部分データに分割し、
第１の前記部分データと、前記第１の部分データよりも前記重要度が高い第２の前記部分データとが、互いに別々に保持される処理方法。
３−２．  ３−１．に記載の処理方法において、
前記第２の部分データは暗号化される処理方法。
３−３．  ３−１．または３−２．に記載の処理方法において、
前記データに含まれる値のうち、前記データを母集団とした偏差が閾値以上である値を、前記第２の部分データに含まれる値とするよう、前記データを分割する処理方法。
３−４．  ３−１．から３−３．のいずれか一つに記載の処理方法において、
前記第１の部分データと、前記第２の部分データとは、互いにセキュリティレベルが異なる保持方法で保持されることにより、互いに別々に保持される処理方法。
３−５．  ３−１．から３−４．のいずれか一つに記載の処理方法において、
前記データに直交変換を施し、予め定められた基準周波数よりも高い周波数帯域の成分を前記第１の部分データとし、前記基準周波数よりも低い周波数帯域の成分を前記第２の部分データとするように前記データを分割する処理方法。
３−６．  ３−１．から３−４．のいずれか一つに記載の処理方法において、
前記データに直交変換を施し、予め定められた基準周波数帯域の範囲内の成分を前記第２の部分データとし、前記基準周波数帯域の範囲外の成分を前記第１の部分データとするように前記データを分割する処理方法。
３−７．  ３−１．から３−６．のいずれか一つに記載の処理方法において、
前記データを受信し、
前記第１の部分データおよび前記第２の部分データの少なくとも一方を保持する処理方法。
３−８．  ３−７．に記載の処理方法において、
第１のデバイスおよび第２のデバイスのそれぞれから送信された前記データを受信し、
前記第１のデバイスからの前記データの受信間隔は前記第２のデバイスからの前記データの受信間隔よりも長く、
前記第１のデバイスからの前記データによる前記第２の部分データの前記重要度を、前記第２のデバイスからの前記データによる前記第２の部分データの前記重要度よりも高いと判定する処理方法。
３−９．  ３−１．から３−６．のいずれか一つに記載の処理方法において、
前記データを生成し、
前記第２の部分データを暗号化し、
暗号化された前記第２の部分データを送信する処理方法。
３−１０．  ３−１．から３−９．のいずれか一つに記載の処理方法において、
前記第１の部分データを第１の記憶手段に保持させ、前記第２の部分データを第２の記憶手段に保持させ、
前記第１の記憶手段と前記第２の記憶手段とが互いに離れて配置されている処理方法。
４−１．  処理装置を実現するためのコンピュータプログラムであって、
コンピュータを、
データの内容に基づいて前記データを重要度別に複数の部分データに分割する分割手段として機能させ、
第１の前記部分データと、前記第１の部分データよりも前記重要度が高い第２の前記部分データとは、互いに別々に保持されるコンピュータプログラム。
４−２．  ４−１．に記載のコンピュータプログラムにおいて、
前記第２の部分データは暗号化されるコンピュータプログラム。
４−３．  ４−１．または４−２．に記載のコンピュータプログラムにおいて、
前記分割手段は、前記データに含まれる値のうち、前記データを母集団とした偏差が閾値以上である値を、前記第２の部分データに含まれる値とするよう、前記データを分割するコンピュータプログラム。
４−４．  ４−１．から４−３．のいずれか一つに記載のコンピュータプログラムにおいて、
前記第１の部分データと、前記第２の部分データとは、互いにセキュリティレベルが異なる保持方法で保持されることにより、互いに別々に保持されるコンピュータプログラム。
４−５．  ４−１．から４−４．のいずれか一つに記載のコンピュータプログラムにおいて、
前記分割手段は、前記データに直交変換を施し、予め定められた基準周波数よりも高い周波数帯域の成分を前記第１の部分データとし、前記基準周波数よりも低い周波数帯域の成分を前記第２の部分データとするコンピュータプログラム。
４−６．  ４−１．から４−４．のいずれか一つに記載のコンピュータプログラムにおいて、
前記分割手段は、前記データに直交変換を施し、予め定められた基準周波数帯域の範囲内の成分を前記第２の部分データとし、前記基準周波数帯域の範囲外の成分を前記第１の部分データとするコンピュータプログラム。
４−７．  ４−１．から４−６．のいずれか一つに記載のコンピュータプログラムにおいて、
前記コンピュータを、
前記データを受信する受信手段、および
前記第１の部分データおよび前記第２の部分データの少なくとも一方を保持する記憶手段としてさらに機能させるコンピュータプログラム。
４−８．  ４−７．に記載のコンピュータプログラムにおいて、
前記受信手段は、
第１のデバイスおよび第２のデバイスのそれぞれから送信された前記データを受信し、
前記第１のデバイスからの前記データの受信間隔は前記第２のデバイスからの前記データの受信間隔よりも長く、
前記分割手段は、前記第１のデバイスからの前記データによる前記第２の部分データの前記重要度を、前記第２のデバイスからの前記データによる前記第２の部分データの前記重要度よりも高いと判定するコンピュータプログラム。
４−９．  ４−１．から４−６．のいずれか一つに記載のコンピュータプログラムにおいて、
前記コンピュータを、
前記データを生成する生成手段、
前記第２の部分データを暗号化する暗号化手段、および
暗号化された前記第２の部分データを送信する送信手段としてさらに機能させるコンピュータプログラム。
４−１０．  ４−１．から４−９．のいずれか一つに記載のコンピュータプログラムにおいて、
前記第１の部分データを保持する第１の記憶手段と、前記第２の部分データを保持する第２の記憶手段とが、互いに離れて配置されているコンピュータプログラム。
【００７４】
この出願は、２０１８年３月２８日に出願された日本出願特願２０１８−０６１００８号を基礎とする優先権を主張し、その開示の全てをここに取り込む。
【図１】
2019189433.tif 000003
【図２】
2019189433.tif 000004
【図３】
2019189433.tif 000005
【図４】
2019189433.tif 000006
【図５】
2019189433.tif 000007
【図６】
2019189433.tif 000008
【図７】
2019189433.tif 000009
【図８】
2019189433.tif 000010
【図９】
2019189433.tif 000011
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
データの内容に基づいて前記データを重要度別に複数の部分データに分割する分割手段を備え、
第１の前記部分データと、前記第１の部分データよりも前記重要度が高い第２の前記部分データとは、互いに別々に保持される処理装置。
【請求項２】
請求項１に記載の処理装置において、
前記第２の部分データは暗号化される処理装置。
【請求項３】
請求項１または２に記載の処理装置において、
前記分割手段は、前記データに含まれる値のうち、前記データを母集団とした偏差が閾値以上である値を、前記第２の部分データに含まれる値とするよう、前記データを分割する処理装置。
【請求項４】
請求項１から３のいずれか一項に記載の処理装置において、
前記第１の部分データと、前記第２の部分データとは、互いにセキュリティレベルが異なる保持方法で保持されることにより、互いに別々に保持される処理装置。
【請求項５】
請求項１から４のいずれか一項に記載の処理装置において、
前記分割手段は、前記データに直交変換を施し、予め定められた基準周波数よりも高い周波数帯域の成分を前記第１の部分データとし、前記基準周波数よりも低い周波数帯域の成分を前記第２の部分データとする処理装置。
【請求項６】
請求項１から４のいずれか一項に記載の処理装置において、
前記分割手段は、前記データに直交変換を施し、予め定められた基準周波数帯域の範囲内の成分を前記第２の部分データとし、前記基準周波数帯域の範囲外の成分を前記第１の部分データとする処理装置。
【請求項７】
請求項１から６のいずれか一項に記載の処理装置において、
前記データを受信する受信手段と、
前記第１の部分データおよび前記第２の部分データの少なくとも一方を保持する記憶手段をさらに備える処理装置。
【請求項８】
デバイスと、処理装置を含み、
前記デバイスは、
データを生成する生成手段と、
前記データを送信する送信手段とを備え、
前記処理装置は、
前記データを受信する受信手段と、
前記データの内容に基づいて、前記データを第１の部分データと、前記第１の部分データよりも重要度が高い第２の部分データに分割する分割手段と、
前記第１の部分データおよび前記第２の部分データの少なくとも一方を保持する記憶手段とを備えるシステム。
【請求項９】
データの内容に基づいて前記データを重要度別に複数の部分データに分割し、
第１の前記部分データと、前記第１の部分データよりも前記重要度が高い第２の前記部分データとが、互いに別々に保持される処理方法。
【請求項１０】
処理装置を実現するためのコンピュータプログラムであって、
コンピュータを、
データの内容に基づいて前記データを重要度別に複数の部分データに分割する分割手段として機能させ、
第１の前記部分データと、前記第１の部分データよりも前記重要度が高い第２の前記部分データとは、互いに別々に保持されるコンピュータプログラム。
【手続補正２】
【補正対象書類名】明細書
【補正対象項目名】００６３
【補正方法】変更
【補正の内容】
【００６３】
本実施形態に係る処理装置１０は計測手段３１０をさらに備える。生成手段３００は、第３の実施形態で説明したのと同様にしてデータを生成する。そして、分割手段１１０は、生成手段３００で生成されたデータに対し、第１の実施形態および第２の実施形態の少なくとも一方と同じ処理を行い、データを第１の部分データおよび第２の部分データを含む複数の部分データに分割する。また、分割手段１１０は各部分データに、その部分データの重要度を示す情報を紐づけてもよい。
【手続補正３】
【補正対象書類名】明細書
【補正対象項目名】００６７
【補正方法】変更
【補正の内容】
【００６７】
なお、サーバ２０は複数の記憶手段を備えてもよい。この場合、受信手段２００が受信した複数の部分データは、重要度別に互いに異なる記憶手段に保持される。
【国際調査報告】
2019189433.tif 000012
2019189433.tif 000013
2019189433.tif 000014
2019189433.tif 000015